(57)【要約】      （修正有）【課題】草刈作業中、放射状に飛散する飛散物が、作業者に衝突することを充分に防止可能であり、垣根等の下の草刈作業に支障を来たすことなく、しかも、透過性があり且つ軽量の草刈払機飛散防護ネットを提供する。【解決手段】ローターを備えて雑草の刈取りを行う草刈払機に装着される草刈払機飛散防護ネットであって、略縦長の適宜な大きさの網目を有する硬質プラスチックネット１で形成される防護部と、防護部上部は弾力性丸棒３を湾曲状に併設し常に略起立状態を保持し、防護部下部は常に懸架状で自在に変形するように形成され、使用者から見て柄５を境に、防護部の左右の面積割合が６（左）対４（右）〜７（左）対３（右）の範囲になるように操作ハンドルとローターの略中間付近の前記草刈機の柄に取付ける。【選択図】図１
0003211285.tif 000002
【実用新案登録請求の範囲】
【請求項１】
ローターを備えて雑草の刈取りを行う草刈払機に装着される草刈払機飛散防護ネットであって、略縦長の適宜な大きさの網目を有する硬質プラスチックネットで形成される防護部を有することを特徴とし、前記防護部上部は弾力性丸棒を湾曲状に併設し常に略起立状態を保持し、前記防護部下部は常に懸架状で自在に変形するように形成されてなることを特徴とする草刈払機飛散防護ネット。
【請求項２】
請求項１記載の防護部は、草刈払機の使用者から見て柄を境に、前記防護部の左右の面積割合が６（左）対４（右）〜７（左）対３（右）の範囲になるように、前記草刈払機の操作ハンドルとローターの略中間付近の柄に取付けられてなることを特徴とする請求項１記載の刈払機飛散防護ネット。
【考案の詳細な説明】
【技術分野】
【０００１】草刈払機（草刈機）に装着して、刈取り後の草の切れ端や小石などの飛散物から、草刈作業者を防護する草刈払機（草刈機）用飛散防護ネットに関する。
【背景技術】
【０００２】一般的に雑草刈払機には、小型エンジン駆動等の動力部を備えて回転刃（チップソー）やナイロンコードが回転する草刈払機あるいは草刈機（本願では便宜上、刈払機と草刈機を総称して草刈払機という。）が広く使用されている。この草刈払機で作業する場合、刈取った雑草とともに地面に点在する小石が草刈払機の回転刃やナイロンコードに接触して放射状に飛散し、草刈払機の使用者に当って負傷したり、周囲に駐車している車や建物のガラス等を損傷したりする不具合が多い。従って草刈払機の使用にあたっては、飛散物の飛散防護ネット等を設置することが推奨されている。そして、この飛散防護ネットにおいては、飛散物の効果的な防止や軽量化等の課題を解決するために様々な検討がなされている。【０００３】例えば特許文献１には、レール式防塵ガード付き刈払機という名称で飛散防止ガードが作業時の障害物に衝突することを防止して作業効率を向上させ、且つ、使用者への飛散物の飛散を防止可能なレール式防塵ガード付き刈払機に関する発明が開示されている。この特許文献１に開示された発明は、主軸の先端に設置される刈払機において、主軸に金属製のレール部分とこのレール上をスライドするガードの台座に垂設される透視性を備える板状の飛散防止ガードとを有するものである。【０００４】また、特許文献２には、刈払機という名称で、軽量で確実に飛散物の飛散を防止可能刈払機に関する発明が開示されている。この特許文献２に開示された発明は、操作竿の先端に回転刃が設置される刈払機において、操作竿の中間部に取り付け部材を介して設置される枠体と、この枠体に張設され適宜な大きさの網目を備える網体とを有するものである。そして、取付部材を介して設置される枠体は取付部材を軸として回動可能に設置する事ができるので使用者は、刈取った草や小石等の飛散物が飛散しやすい方向に合わせて枠体位置を細かく決定する事が可能である。また、枠体を網体で形成することによって、従来の板状に比べて、軽量になるとともに、飛散物が網体に衝突する際の衝撃音を小さくし、また、跳ね返りも抑えることができる。
【先行技術文献】
【特許文献】
【０００５】
【特許文献１】特開２００９−８９７０５号公報
【特許文献２】特開平７−２３６４２号公報
【考案の概要】
【考案が解決しようとする課題】
【０００６】しかしながら、上述の従来技術である特許文献１に開示された発明は、飛散防止ガードと障害物との衝突を回避するために上方へ移動すると、飛散防止ガードの下方からの飛散物が増加し、使用者の安全確保が困難になるという課題があった。【０００７】また、特許文献２に開示された発明は、ナイロン糸などにより形成される網体を用いて飛散防止ガード全体を構成していて、強度が低く、高速で飛散する小石などにより破損しやすく、さらに使用者の全身を防護するには希薄な大きさであるという課題があった。
【課題を解決するための手段】
【０００８】上記目的を達成するため、前記防護部は、略縦長の適宜な大きさの網目を有する硬質プラスチックネットで形成される防護部上部は、硬質プラスチックネットに弾力性丸棒を湾曲状に併設することで常に略起立状態を保持し、下部は懸架状にすることで常に自在な変形を可能とする。なお、前記、略縦長の、とは、ローターを備えて雑草の刈取りを行う草刈払機から、放射状に飛散する飛散物が、作業者に衝突することを充分に防止しすることのできる網体の大きさであって、大きさを限定するものではないことを意味するものである。さらに、適宜な大きさの網目を有する硬質プラスチックネットとは、少なくとも作業者に衝突すると危険であるような大きさの飛散物を通過させないか、もしくはそのような飛散物の大半が接触して飛行方向を変えさせることのできる網体という意味であり、使用者に衝突しても危険の少ない微細な飛散物は網体を通過してもよいことを意味するものである。【０００９】また、前記防護部は、前記草刈払機の使用者から見て柄を境に、防護部の左右の面積割合が６（左）対４（右）〜７（左）対３（右）の範囲になるように、且つ、前記草刈払機の操作ハンドルとローターの略中間付近の柄に脱着可能に取付けられる。
【考案の効果】
【００１０】本考案の草刈払機飛散防護ネットによれば、略縦長の適宜な大きさの網目を有する硬質プラスチックネットで形成されている防護部は前記草刈払機の柄に乗せる状態で固定され、防護部上部に弾力性丸棒を湾曲状に併設することで、作業中に木の枝等に衝突して軽度の衝撃を受けても倒れる事なく復元して常に略起立状態を保持するので、防護部に衝突する飛散物を遮断し、使用者に衝突することを充分に防止する効果がある。さらに防護部下部は常に懸架状になっているので地面の起伏に合わせて自在に変形して、地面との間に隙間を形成するのを防止する効果がある。そして、網体で形成されている防護部全体は飛散物の衝突に対する緩衝性があるので、小石などの衝突による騒音の心配もなく、また、網体であるため透過性があり対象物をくまなく透過することができるので使用者は、特に、垣根等の下の草刈作業に支障を来たすことなく作業ができて、しかも、軽量で、強風による影響を感じることもなく効果的である。【００１１】また、一般的に草刈払機使用者は常に右側の腰のあたりに保持していて、ローターは常に左回転（反時計回り）しながら雑草を刈取るのでローター付近から放射状に飛散する飛散物は、特に使用者の左側への飛散が多い。本考案の草刈払機飛散防護ネットによれば、草刈払機の使用者から見て柄を境に、防護部の左右の面積割合が６（左）対４（右）〜７（左）対３（右）の範囲になるように、草刈払機の操作ハンドルとローターの略中間付近の柄に取付固定するため使用者の左側への飛散が多い場合でも確実に防止することができ、さらに、ローター周辺の柄の付近には取付付属部品等が何もないので、垣根等の根本の比較的狭いところも防護部が邪魔にならず作業効率が上がり迅速に出来るので効果的である。そして、草刈払機飛散防護ネットは、取付固定部を設けて形成されているので、防護部が不要なとき、破損したとき、洗浄したりするときは、取付固定部をはずことで容易に作業ができる効果がある。
【図面の簡単な説明】
【００１２】【選択図】  本考案の実施の形態に係る草刈払機の斜視図である。
【図１】  使用者から見た草刈払機飛散防護ネットの正面図である。
【図２】  使用者から見た草刈払機飛散防護ネットの背面図である。
【図３】  【図１】取付け固定部拡大図
【図４】  【図１】弾力性丸棒取付部拡大図
【図５】  弾力性丸棒取付部を横からの見た断面拡大図
【図６】  作業体制に保持したときの取付け固定部を横から見た断面拡大図
【本考案を実施するための形態】
【００１３】以下、本考案の実施するための形態を、図面と符号に基づき説明する。
選択図は、本考案を、草刈払機（５）柄に取付けたときの全体背面斜視図である。図１は草刈払機飛散防護ネットの正面図であって、１ネットを、２角パイプと、１２エルアングルではさむ、このとき２角パイプは正面側になり、飛散防護ネット本体の上下略中間部に水平に位置すること、背面から１０−ロ、ビスで固定して形成されている。２角パイプ両先端付近の上部にある穴に９丸パイプを差込、下部から１０−イビスで固定して、９丸パイプ上部に３弾力性丸棒を差込、９丸パイプの一部をかしめる、差込まれた３弾力性丸棒の上部は湾曲し、湾曲した左右の適宜な２箇所を、４ネットバンドで３弾力性丸棒を挟み貼付固定し形成されている。なお、本考案の左記固定箇所で形成されているが、貼付固定箇所は、左右２箇所に限定するものではなく、網体の材質により異なることがある。図２は草刈払機飛散防護ネットの背面図であって、１ネットを、２角パイプと、１２エルアングルではさむ、このとき１２エルアングルは背面側になること、１０−ロビスで固定して形成されている。そして、草刈払機の柄を境に防護部の左右の面積割合が６（左）対４（右）〜７（左）対３（右）の範囲に取付固定部を設け、２角パイプの直下に位置するように１ネットの部分に、草刈払機の柄の太さと、略同程度の穴を開け、さらに、開けた穴から下方え縦に、１ネット下端しまで切り放す。さらに、３弾力性丸棒の上部の湾曲した外周部分の適宜な部分を残し湾曲状に切取る。
【００１４】この草刈払機飛散防護ネットを草刈払機の柄に取付固定する方法は、操作ハンドルとローターの、略中間付近の位置に、草刈払機の柄の下方から、６Ｕ字ボルトをＵの字になるように設置後、上部から８取付金具バンド落とし込み、取付固定部を設けて形成されている草刈払機飛散防護ネット本体の２角パイプを前記６Ｕ字ボルトの上部から、２角パイプ穴に挿し込み角パイプが略水平になるように草刈払機の柄に乗せる状態で７ナット、座金で締付け固定する。
【符号の説明】
【００１５】１        ネット
２        角パイプ
３        弾力性丸棒
４        ネットバンド
５        柄
６        Ｕ字ボルト
７        ナット、座金
８        取付金具バンド
９        丸パイプ
１０イ    ビス
１０ロ    ビス
１１      切れ目
１２      エルアングル
１３      湾曲切取部
１４Ａ    取付け固定部
１５Ｂ    弾力性丸棒固定部
【図１】
0003211285.tif 000003
【図２】
0003211285.tif 000004
【図３】
0003211285.tif 000005
【図４】
0003211285.tif 000006
【図５】
0003211285.tif 000007
【図６】
0003211285.tif 000008
【手続補正書】
【提出日】平成29年5月16日(2017.5.16)
【手続補正２】
【補正対象書類名】明細書
【補正対象項目名】００１２
【補正方法】変更
【補正の内容】
【００１２】
【図１】  使用者から見た草刈払機飛散防護ネットの正面図である。
【図２】  使用者から見た草刈払機飛散防護ネットの背面図である。
【図３】  「図１」取付け固定部拡大図
【図４】  「図１」弾力性丸棒取付部拡大図
【図５】  弾力性丸棒取付部を横からの見た断面拡大図
【図６】  作業体制に保持したときの取付け固定部を横から見た断面拡大図
【図７】  本考案の実施の形態に係る草刈払機の斜視図である。
【手続補正３】
【補正対象書類名】図面
【補正対象項目名】全図
【補正方法】変更
【補正の内容】
【図１】
0003211285.tif 000009
【図２】
0003211285.tif 000010
【図３】
0003211285.tif 000011
【図４】
0003211285.tif 000012
【図５】
0003211285.tif 000013
【図６】
0003211285.tif 000014
【図７】
0003211285.tif 000015